(57)【要約】【課題】移動目標の撮影解像度と識別効果を向上し、効果的で確実的なモニタリングとレコーディングの目的を図る。【解決手段】包含範囲内のワイド・アングル・イメージ信号を連続的にキャッチする第一イメージ・キャッチ・デバイスと、第一時点とその前の時点のワイド・アングル・イメージ信号を連続的にコンパレートし、差異が生じる場合にその差異点を移動目標となるように設定するプロセッサーと、前記プロセッサーにコントロールされ、それぞれの第一時間に移動目標となるように設定される拡大イメージ信号をキャッチする第二イメージ・キャッチ・デバイスと、前記それぞれのデバイスに接続され、持続的にワイド・アングル・イメージ信号と拡大イメージ信号とをレコーディングするレコーディング・デバイスとを有する、主動式モニタリングシステムを提供する。【選択図】          図１
2004363686.tif 000002
【特許請求の範囲】
【請求項１】
包含範囲内のワイド・アングル・イメージ信号を連続的にキャッチする第一イメージ・キャッチ・デバイスと、
第一時点とその前の時点のワイド・アングル・イメージ信号を連続的にコンパレートし、差異が生じる場合にその差異点を移動目標となるように設定するプロセッサーと、
前記プロセッサーにコントロールされ、それぞれの第一時間に移動目標となるように設定される拡大イメージ信号をキャッチする第二イメージ・キャッチ・デバイスと、
前記それぞれのデバイスに接続され、持続的にワイド・アングル・イメージ信号と拡大イメージ信号とをレコーディングするレコーディング・デバイスとを有することを特徴とする主動式モニタリングシステム。
【請求項２】
第一イメージ・キャッチ・デバイスを配置して連続的に包含範囲内のワイド・アングル・イメージ信号をキャッチするステップと、
プロセッサーによって連続的に第一時点とその前の時点のワイド・アングル・イメージ信号をコンパレートし、差異が生じる場合にその差異点を移動目標となるように設定するステップと、
第二イメージ・キャッチ・デバイスを駆動してそれぞれの第一時点において移動目標となるように設定される拡大イメージ信号をキャッチするステップと、
前記ワイド・アングル・イメージ信号と前記拡大イメージ信号とをレコーディング・デバイスにレコーディングするステップとを少なくとも有することを特徴とする主動式モニタリング方法。
【請求項３】
時間差に従って断続的に包含範囲内のワイド・アングル・イメージ信号をキャッチすると共に、移動目標の拡大イメージ信号をキャッチするようにコントロールを受けることができる、例えば可変焦点撮影デバイスなどからなるイメージ・キャッチ・デバイスと、
連続的に第一時点とその前の時点のワイド・アングル・イメージ信号をコンパレートし、差異が生じる場合にその差異点を移動目標となるように設定すると共に、イメージ・キャッチ・デバイスをコントロールして即刻に前記移動目標の拡大イメージ信号をキャッチするプロセッサーと、
前記それぞれのデバイスに接続され、且つ持続的に前記ワイド・アングル・イメージ信号と前記拡大イメージ信号とをレコーディングするレコーディング・デバイスとを少なくとも有することを特徴とする主動式モニタリングシステム。
【請求項４】
イメージ・キャッチ・デバイスを配置して連続的に包含範囲内のワイド・アングル・イメージ信号をキャッチするステップと、
プロセッサーによって連続的に第一時点とその前の時点のワイド・アングル・イメージ信号をコンパレートし、差異が生じる場合にその差異点を移動目標となるように設定するステップと、
前記イメージ・キャッチ・デバイスを駆動してそれぞれの第一時点において移動目標となるように設定される拡大イメージ信号をキャッチするステップと、
前記ワイド・アングル・イメージ信号と前記拡大イメージ信号とをレコーディング・デバイスにレコーディングするステップとを少なくとも有することを特徴とする主動式モニタリング方法。
【発明の詳細な説明】
【０００１】
【発明の属する技術分野】
本発明は、モニタリングシステム及びモニタリング方法に係わり、特に移動目標を自動的に識別できると共に、特定の移動目標に対しその拡大イメージ信号をキャッチでき、解像度と識別効果を向上できる主動式モニタリングシステム及び主動式モニタリング方法に関するものである。
【０００２】
【従来の技術及びその課題】
さて、ビルディングの出入口や駐車場やコンビニや銀行などと、一般の家庭において、モニタを取り付けたモニタリングシステムがよく見られる。そのモニタのワイド・アングル・レンズによって包含範囲内の通過する人物や車両などをモニタリングすると共に、レコーディングをする。事故が生じる場合または刑事事件が生じる場合または特定のニーズがある場合に、モニタリング過程をレコーディングしたビデオ・テープ（またはレコーディング・メディア）を取り出してチェックをし、それを証拠として事後の識別と責任の追及のことに利用する。
【０００３】
しかしながら、従来のモニタリングシステムを使用する場合、それらのモニタリングシステムにおけるモニタがワイド・アングル・レンズを使用して包含範囲内の決まったワイド・アングル・イメージをレコーディングするので、画面における特定の移動対象を識別しようとする場合、はっきりとプレゼンテーションできない場合がある。特にレコーディングした決まったワイド・アングル・イメージが複雑である場合、レコーディングしたイメージの細かい面貌を識別しにくくなるので、モニタリングによるレコーディングのニーズを満足できない場合がある。
【０００４】
また、現在では、ある国家またはあるユニットにおいてはイメージを強化する技術を擁しており、例えばぼんやりコンパレート技術または他の方式によって所要するイメージを分析及び拡大できるが、すべての国家またはユニットにはすべてこの種のイメージ強化科学技術を有していなく、厳しい事件の場合では、前記の少数の国家またはユニットより協力を求め、イメージをはっきりに形成させるように援助をしてもらうことができるが、両者の間のドキュメントの交換にかかる時間が事件を解明するタイミングを遅延することを招くことがあり、一般の人々が単にぼんやりしたイメージの識別に悩まれるばかりで、助けを求める箇所はなく、且つイメージ強化技術は万能のことではなく、単に限度ありの改善しか実行できない。
【０００５】
それと共に、従来のモニタリングシステムの場合では、モニタリング及びレコーディングするイメージの解像度を確実的に掌握できないと共に、特定のターゲットに対し拡大できなく、且つぼんやりしたイメージが認識しにくいため、犯罪しようとする犯罪者は異なる角度または異なる距離を保持することによってモニタの撮影するイメージの効果をさらにぼんやりにならせることができるので、大胆に罪を犯すことができるようになる。
【０００６】
そのため、如何にしてモニタリングシステムの撮影したイメージにはっきりとならせると共に、レコーディングしたイメージをはっきりとプレゼンテーションさせることと、特定のターゲットを拡大することが至極速やかに解決されたい課題となっている。
【０００７】
【課題を解決するための手段】
本発明は、前記の従来の技術の諸課題に鑑てなされるものであり、主に移動目標（ムービング・ターゲット）を自動的に識別できると共に、特定の移動目標に対しイメージをキャッチし、信号を拡大でき、解像度と識別効果を向上できる、主動式モニタリングシステムを提供することをその主要な目的とする。
【０００８】
また、本発明は、前記の目的を図れる主動式モニタリング方法を提供することをその他の目的とする。
【０００９】
また、本発明は、イメージ信号拡大効果を有する技術を提供することによってイメージ・キャッチ・デバイスの使用寿命を延長する目的を図れる主動式モニタリング技術を提供することをその他の目的とする。
【００１０】
前記の目的を図るために、本発明は、包含範囲内のワイド・アングル・イメージ信号を連続的にキャッチする第一イメージ・キャッチ・デバイスと、第一時点とその前の時点のワイド・アングル・イメージ信号を連続的にコンパレートし、差異が生じる場合にその差異点を移動目標となるように設定するプロセッサーと、前記プロセッサーにコントロールされ、それぞれの第一時間に移動目標となるように設定される拡大イメージ信号をキャッチする第二イメージ・キャッチ・デバイスと、前記それぞれのデバイスに接続され、持続的にワイド・アングル・イメージ信号と拡大イメージ信号とをレコーディングするレコーディング・デバイスとを有する、主動式モニタリングシステムを提供する。
【００１１】
前記のような設計によってモニタリングシステムに特定の移動目標に対し拡大イメージ信号をキャッチ及びレコーディングできる効果を付与できるので、解像度と識別効果を効果的に向上できる。
【００１２】
そのうち、前記レコーディング・デバイスには、第一レコーディング・デバイスと第二レコーディング・デバイスとを含み、それらがそれぞれワイド・アングル・イメージ信号と拡大イメージ信号とをレコーディングする。また、ディスプレイ・デバイスをさらに有し、前記ワイド・アングル・イメージ信号と前記拡大イメージ信号とを連続的に再生することに用いられる。または、それぞれワイド・アングル・イメージ信号と拡大イメージ信号とを再生するための二つのディスプレイ・デバイス同士を有してもよい。
【００１３】
また、前記第一イメージ・キャッチ・デバイスとして固定式のワイド・アングル撮影デバイスを採用でき、また、第二イメージ・キャッチ・デバイスとして可動式望遠撮影デバイスを採用できる。前記可動式望遠撮影デバイスは固定式の望遠撮影デバイスの前端部に可動式反射デバイスを設けるものからなり、また、可動式反射デバイスは、ベースに支点を介して反射鏡と縦方向ドライバーと横方向ドライバーとからなるものである。
【００１４】
また、本発明は、第一イメージ・キャッチ・デバイスを配置して連続的に包含範囲内のワイド・アングル・イメージ信号をキャッチするステップと、プロセッサーによって連続的に第一時点とその前の時点のワイド・アングル・イメージ信号をコンパレートし、差異が生じる場合にその差異点を移動目標となるように設定するステップと、第二イメージ・キャッチ・デバイスを駆動してそれぞれの第一時点において移動目標となるように設定される拡大イメージ信号をキャッチするステップと、前記ワイド・アングル・イメージ信号と前記拡大イメージ信号とをレコーディング・デバイスにレコーディングするステップとを少なくとも有する、主動式モニタリング方法を提供する。
【００１５】
そのうち、前記レコーディング・デバイスにはそれぞれワイド・アングル・イメージ信号と拡大イメージ信号とをレコーディングする。また、前記レコーディング・デバイスはワイド・アングル・イメージ信号と拡大イメージ信号とを一つのディスプレイ・デバイスに連続的に再生するか、ワイド・アングル・イメージ信号と拡大イメージ信号とをそれぞれ二つのディスプレイ・デバイス同士に再生する。
【００１６】
また、固定式のワイド・アングル撮影デバイスを使用して包含範囲内のワイド・アングル・イメージ信号を連続的にキャッチすると共に、可動式望遠撮影デバイスによってそれぞれの第一時点で移動目標となるように設定される拡大イメージ信号をキャッチする。そのうち、固定式の望遠撮影デバイスの前端部に可動式反射手段を配置することによってそれぞれの第一時点に移動目標となるように設定される拡大イメージ信号をキャッチする。
【００１７】
本発明の実施は、前記の二つのイメージ・キャッチ・デバイス同士だけに制限するものではなく、時間差によって断続的なモニタリングを設定する場合、一つだけのイメージ・キャッチ・デバイスによってワイド・アングル・イメージ信号と拡大イメージ信号とをキャッチするようにしてもよい。そのため、本発明も下記のように実施できる。
【００１８】
つまり、時間差に従って断続的に包含範囲内のワイド・アングル・イメージ信号をキャッチすると共に、移動目標の拡大イメージ信号をキャッチするようにコントロールを受けることができる、例えば可変焦点撮影デバイスなどからなるイメージ・キャッチ・デバイスと、連続的に第一時点とその前の時点のワイド・アングル・イメージ信号をコンパレートし、差異が生じる場合にその差異点を移動目標となるように設定すると共に、イメージ・キャッチ・デバイスをコントロールして即刻に前記移動目標の拡大イメージ信号をキャッチするプロセッサーと、前記それぞれのデバイスに接続され、且つ持続的に前記ワイド・アングル・イメージ信号と前記拡大イメージ信号とをレコーディングするレコーディング・デバイスとを少なくとも有する、主動式モニタリングシステムを提供することもできる。
【００１９】
前記のような設計によってモニタリングシステムに特定の移動目標に対し拡大イメージ信号をキャッチ及びレコーディングできる効果を付与できるので、解像度と識別効果を効果的に向上できる。
【００２０】
また、前記イメージ・キャッチ・デバイスとして可動式望遠撮影デバイスを採用できる。前記可動式望遠撮影デバイスは固定式の望遠撮影デバイスの前端部に可動式反射デバイスを設けるものからなり、また、可動式反射デバイスは、ベースに支点を介して反射鏡と縦方向ドライバーと横方向ドライバーとからなるものである。
【００２１】
また、本発明は、イメージ・キャッチ・デバイスを配置して連続的に包含範囲内のワイド・アングル・イメージ信号をキャッチするステップと、プロセッサーによって連続的に第一時点とその前の時点のワイド・アングル・イメージ信号をコンパレートし、差異が生じる場合にその差異点を移動目標となるように設定するステップと、前記イメージ・キャッチ・デバイスを駆動してそれぞれの第一時点において移動目標となるように設定される拡大イメージ信号をキャッチするステップと、前記ワイド・アングル・イメージ信号と前記拡大イメージ信号とをレコーディング・デバイスにレコーディングするステップとを少なくとも有する、主動式モニタリング方法を提供する。
【００２２】
そのうち、前記レコーディング・デバイスにはそれぞれワイド・アングル・イメージ信号と拡大イメージ信号とをレコーディングする。また、前記レコーディング・デバイスはワイド・アングル・イメージ信号と拡大イメージ信号とを一つのディスプレイ・デバイスに連続的に再生するか、ワイド・アングル・イメージ信号と拡大イメージ信号とをそれぞれ二つのディスプレイ・デバイス同士に再生する。
【００２３】
また、可動式望遠撮影デバイスによって包含範囲内のワイド・アングル・イメージ信号と、それぞれの移動目標となるように設定される拡大イメージ信号をキャッチする。そのうち、固定式の望遠撮影デバイスの前端部に可動式反射手段を配置することによってそれぞれの第一時点に移動目標となるように設定される拡大イメージ信号をキャッチする。
【００２４】
【発明の好適な実施の形態】
以下に添付図面を参照しながら本発明の優れる実施の形態を具体的で詳細的に説明するが、それらの実施の形態は単に本発明の実施可能な実施例に過ぎなく、本発明の主張範囲を狭義的に定義するものではないことを予め言明する。
【００２５】
図１は本発明のシステムを示すブロック図であり、当該図面に示すように、本発明による主動式モニタリングシステムには、プロセッサー１と、レコーディング・デバイス２と、第一イメージ・キャッチ・デバイス３と第二イメージ・キャッチ・デバイス４とを有し、そのうち、前記第一イメージ・キャッチ・デバイス３として固定式のワイド・アングル撮影デバイス（図６参照）を使用でき、それによって所定の方位の包含する範囲内のワイド・アングル・イメージ信号を連続的にキャッチする。
【００２６】
また、前記プロセッサー１として例えばパソコンや内部にプロセス・プログラムを収納しているプロセッサーを採用でき、それによって連続的に第一時点とその前の時点のワイド・アングル・イメージ信号をコンパレートし、差異が生じる場合にその差異点を移動目標となるように設定する。
【００２７】
また、前記第二イメージ・キャッチ・デバイス４として可動式望遠撮影デバイス（図７参照）を採用でき、それが前記プロセッサー１にコントロールされ、それぞれの第一の時点の移動目標となるように設定される拡大イメージ信号をキャッチする。
【００２８】
また、前記レコーディング・デバイス２としてパソコンのハードディスクやメモリや他のレコーディング・メディアなどを採用でき、それが前記それぞれのデバイスと接続しあい、且つ持続的にワイド・アングル・イメージ信号と拡大イメージ信号とをレコーディングする。
【００２９】
前記可動式望遠撮影デバイス（図２参照）は、固定式の望遠撮影デバイス５の前端部に可動式反射手段６を設けることによって形成され、当該可動式反射手段６（図３と図４参照）にはベース７と反射鏡８と縦方向ドライバー９と横方向ドライバー１０とを有し、そのうち、反射鏡８はその背面部における回動可能支点１１を介して前記ベース７に結合されつつ、前記縦方向ドライバー９と横方向ドライバー１０とが支点１１を介して９０度を呈するように前記ベース７に固定されると共に、その先端部がそれぞれ前記反射鏡８の背面部における対応する箇所に結合される。このような設計によって縦方向ドライバー９と横方向ドライバー１０をコントロールすることによって反射鏡８に対応回動させてその反射角度を調整することによって固定式望遠撮影デバイス５のイメージ・キャッチ方向を改変する。
【００３０】
そのモニタリング方法は大体下記のようなステップを有する（図５参照）。つまり、第一イメージ・キャッチ・デバイス３（例えば固定式ワイド・アングル撮影デバイス）によって連続的に決まったイメージ・キャッチ方位のワイド・アングル・イメージ信号を撮影する、ワイド・アングル・イメージ信号を連続的にキャッチする１２と、撮ったワイド・アングル・イメージ信号を持続的にレコーディング・デバイス２（例えばハードディスク）にレコーディングする１３と、プロセッサー１（例えばパソコン）の第一時点とその前の時点のワイド・アングル・イメージ信号を連続的にコンパレートする、差異点判断１４と、コンパレートした結果、差異が生じる場合、その差異点と前の移動目標とコンパレートし、最新の差異点を確認すると共に、それを移動目標となるように設定する、移動目標設定１５と、プロセッサー１によって目標の方位を定義してから前記第二イメージ・キャッチ・デバイス４（例えば可動式望遠撮影デバイス）をコントロールすることによって前記移動目標の拡大イメージ信号を撮影する、移動目標の拡大信号をキャッチする１６と、最新の設定した移動目標を前の移動目標となるようにリセット転換する、移動目標リセット１７と、撮った拡大イメージ信号をレコーディング・デバイス２にレコーディングする、拡大イメージ信号レコーディングする１８とを有する。
【００３１】
前記のステップにおいて、差異点を判断して移動目標を設定する方法は、イメージ・デジタル化データ・コンパレート・テクニックを採用できる。図８に示すように、一枚目のワイド・アングル・イメージ信号１９には人員が入っていなく、それから、二枚目のワイド・アングル・イメージ信号２０において一名の人員２１が入ってくる。この際、コンパレートすることによって差異点が人員２１のことであると判断し、この差異点と前の移動目標とコンパレートすることによってそれが最新の差異点であることを確認する。その場合、人員２１を移動目標となるように見なし、直ちにその拡大イメージ信号２３をキャッチする。図９に示すように、三枚目のワイド・アングル・イメージ信号２４における人員２１が既に元位置より離れ、この際、三枚目のワイド・アングル・イメージ信号２４と二枚目のワイド・アングル・イメージ信号２０とを相互にコンパレートし、差異点が人員２１の現れた左右二つの位置点であることを確認してから、二つの差異点と前の移動目標２２とコンパレートすることによって左のほうが最新の差異点であることを確認し、当該左のほうの人員２１の箇所を移動目標２５となるように設定すると共に、即刻的にその拡大イメージ信号２６をキャッチする。図１０に示すように、四枚目のワイド・アングル・イメージ信号２７における人員２１が移動しないが、他の人員２８が入ってくる。この際、四枚目のワイド・アングル・イメージ信号２７と三枚目のワイド・アングル・イメージ信号２４と相互にコンパレートし、差異点が人員２８のことであることを確認し、それからその差異点と前の移動目標２５とをコンパレートすることによって最新の差異点を探し出し、人員２８を移動目標２９となるように設定すると共に、その拡大イメージ信号３０を即刻的にキャッチする。
【００３２】
また、前記レコーディング・デバイス２が持続的にワイド・アングル・イメージ信号と拡大イメージ信号とをレコーディングでき、標記の方式によって区別をつけることによりソフトウェアを合せて選択的に取り出すことができるようにする。もちろん、二つのレコーディング・デバイス同士（例えば二つのハードディスク・デバイス）を使用することによってそれぞれワイド・アングル・イメージ信号と拡大イメージ信号とをレコーディングすることもできる。
【００３３】
また、本発明の主動式モニタリングシステムには、ディスプレイ・デバイス（例えばモニタ）を有してもよく、それによって連続的にワイド・アングル・イメージ信号と拡大イメージ信号とを再生してもよいが、二つ以上のディスプレイ・デバイスを使用してそれぞれワイド・アングル・イメージ信号と拡大イメージ信号を再生させてもよいことが言うまでもないことである。
【００３４】
また、第一イメージ・キャッチ・デバイス３が所定の方位の包含範囲内のワイド・アングル・イメージ信号を連続的にキャッチするので、固定式のワイド・アングル撮影デバイスを採用するだけでよい。しかしながら、第二イメージ・キャッチ・デバイス４が移動して拡大イメージ信号をキャッチする必要があるので、可動式望遠撮影デバイスを採用する必要がある。しかしながら、一般の可動式望遠撮影デバイスは望遠撮影デバイスにローリング・ベースを配置するものであり、そのような形式は価格が高いと共に、体積が大きくて且つ重量も重く、且つ所定の時間使用後に容易に磨耗されて余分のメンテナンス・コストがかかる場合がある。そのため、本発明は図２に示すように、固定式の望遠撮影デバイス５の前端部に可動式反射手段６を配置することによって可動式望遠撮影デバイスを形成し、その可動式反射手段６と固定式望遠撮影デバイス５とが相互に離れられると共に、可動式反射手段６の構成が簡単で、コストが安くて、体積が小型で、軽量であるため、可動式望遠撮影デバイス全体のコストを低減できると共に、余計なメンテナンス・コストを低減できるので、大きい突破と言える。
【００３５】
前記の説明から分かるように、本発明は、二つのイメージ・キャッチ・デバイス同士にプロセッサーとメモリとを合せる設計の場合では、モニタリングする画面における任意の移動目標に対しその拡大イメージ信号をキャッチできると共に、それらを記憶してから後続きの使用に供することができるので、このような主動的に拡大イメージをキャッチできることが移動目標のプレゼンテーションの解像度と識別効果を効果的に向上できる。
【００３６】
本発明の実施は前記に開示される二つのイメージ・キャッチ・デバイス同士のことに限られることがなく、時間差にしたがって断続的にモニタリングする場合（例えば野生動物を撮影することや夜間録画や長時間記録などの場合）では、一つだけのイメージ・キャッチ・デバイス（可動式可変焦点望遠撮影デバイス）によってワイド・アングル・イメージ信号と拡大イメージ信号とをキャッチするようにしてもよい。このような変化はイメージ・キャッチ・デバイスの多少に差異を有するが、そのモニタリング・テクニックとオペレーション・フローとが前記に開示した発明とあまり差がないので、くどくどしい説明を省略する。
【００３７】
前記の実施の形態の説明から分かるように、本発明の主動式モニタリングシステム及びモニタリング方法による場合、モニタリング画面におけるいずれの移動目標に対しその拡大イメージ信号をキャッチできると共に、それを記憶して後日の利用に供することができ、このような主動的に拡大イメージを取ることが移動目標の撮影解像度と識別効果を向上でき、効果的で確実的なモニタリングとレコーディングの目的を図れ、明らかに従来物のレコーディング・イメージが小さくなることによる識別しがたい課題を解消できると共に、その後続きの膨大的なイメージ強化費用をも低減でき、大した発明の突破であり、且つこのような技術が従来にないため、本発明は既に特許の要件を満たし、ご査察の上、早期に特許を下すよう宜しくお願いいたすこと。
【図面の簡単な説明】
【図１】本発明のシステムを示すブロック図である。
【図２】本発明の可動式望遠撮影デバイスの動作を示す説明図である。
【図３】図２の一部断面の分解断面図である。
【図４】図２の一部の分解図である。
【図５】本発明のフローチャートである。
【図６】本発明は第一イメージ・キャッチ・デバイスによってワイド・アングル・イメージ信号をキャッチする場合のことを示す説明図である。
【図７】本発明は第二イメージ・キャッチ・デバイスによって拡大イメージ信号をキャッチする場合を示す説明図である。
【図８】本発明は移動目標を判断することを示す説明図一である。
【図９】本発明は移動目標を判断することを示す説明図二である。
【図１０】本発明は移動目標を判断することを示す説明図三である。
【符号の説明】
１      プロセッサー
２      レコーディング・デバイス
３      第一イメージ・キャッチ・デバイス
４      第二イメージ・キャッチ・デバイス
５      固定式望遠撮影デバイス
６      可動式反射手段
７      ベース
８      反射鏡
９      縦方向ドライバー
１０    横方向ドライバー
１１    支点
１２    ワイド・アングル・イメージ信号を連続的にキャッチすること
１３    ワイド・アングル・イメージ信号をレコーディングすること
１４    差異点判断のこと
１５    移動目標設定すること
１６    移動目標の拡大信号をキャッチすること
１７    移動目標リセットのこと
１８    拡大イメージ信号をレコーディングすること
１９    一枚目のワイド・アングル・イメージ信号
２０    二枚目のワイド・アングル・イメージ信号
２１    人員
２２    移動目標
２３    拡大イメージ信号
２４    三枚目のワイド・アングル・イメージ信号
２５    移動目標
２６    拡大イメージ信号
２７    四枚目のワイド・アングル・イメージ信号
２８    人員
２９    移動目標
３０    拡大イメージ信号
【図１】
2004363686.tif 000003
【図２】
2004363686.tif 000004
【図３】
2004363686.tif 000005
【図４】
2004363686.tif 000006
【図５】
2004363686.tif 000007
【図６】
2004363686.tif 000008
【図７】
2004363686.tif 000009
【図８】
2004363686.tif 000010
【図９】
2004363686.tif 000011
【図１０】
2004363686.tif 000012
【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
包含範囲内のワイド・アングル・イメージ信号を連続的にキャッチする第一イメージ・キャッチ・デバイスと、
第一時点とその前の時点のワイド・アングル・イメージ信号を連続的にコンパレートし、差異が生じる場合にその差異点を移動目標となるように設定するプロセッサーと、
前記プロセッサーにコントロールされ、それぞれの第一時間に移動目標となるように設定される拡大イメージ信号をキャッチする第二イメージ・キャッチ・デバイスと、
前記それぞれのデバイスに接続され、持続的に前記ワイド・アングル・イメージ信号と前記拡大イメージ信号とをレコーディングするレコーディング・デバイスとを有する主動式モニタリングシステムにおいて、
前記第二イメージ・キャッチ・デバイスが可動式の望遠ビデオカメラであって、固定式望遠ビデオカメラの前に可動式の反射デバイスを備えて構成され、前記可動式の反射デバイスが反射鏡、縦方向ドライバー、横方向ドライバーから構成され、これら３つの全てが支点を介してベースに接続されていることを特徴とする主動式モニタリングシステム。
【請求項２】
特定の時間間隔で包含範囲内のワイド・アングル・イメージ信号をキャッチすると共に、コントロールの下で移動目標の拡大イメージ信号をキャッチするイメージ・キャッチ・デバイスと、
連続的に第一時点とその前の時点のワイド・アングル・イメージ信号をコンパレートし、差異が生じる場合にその差異点を移動目標となるように設定すると共に、イメージ・キャッチ・デバイスを望遠レンズに変更し、即刻に前記移動目標の拡大イメージ信号をキャッチするプロセッサーと、
前記それぞれのデバイスに接続され、且つ持続的に前記ワイド・アングル・イメージ信号と前記拡大イメージ信号とをレコーディングするレコーディング・デバイスとを有する主動式モニタリングシステムにおいて、
前記主動式イメージ・キャッチ・デバイスがズームレンズを備えた可動式のビデオカメラであって、ズームレンズを備えた固定ビデオカメラの前に可動式の反射デバイスを備えて構成され、前記可動式の反射デバイスが反射鏡、縦方向ドライバー、横方向ドライバーから構成され、これら３つの全てが支点を介してベースに接続されていることを特徴とする主動式モニタリングシステム。